(57)【要約】【課題】  こはぜなどの開閉用の止め具がなく、一足で様々な足のサイズに対応できる、取扱い性、経済性、及び加工性に優れた足袋を提供する。【解決手段】  足の親指と足の甲の内側を覆う内甲部と、足の親指以外の他の４本の指と足の甲の外側を覆う外甲部と、足の底を覆う足底部とが縫製されて構成される足袋において、内甲部、外甲部、及び足底部が異なるサイズの足の大きさに対応できるような伸縮性の布地から構成されること、及び足袋の脱着のために内甲部と外甲部の接合部がこはぜなどによって開閉されないことを特徴とする足袋。好ましい態様では、足首を締め付けるための帯状ゴムが足袋の開放端付近に設けられる。【選択図】  図１
0003111312.tif 000002
【実用新案登録請求の範囲】
【請求項１】
足の親指と足の甲の内側を覆う内甲部と、足の親指以外の他の４本の指と足の甲の外側を覆う外甲部と、足の底を覆う足底部とが縫製されて構成される足袋において、内甲部、外甲部、及び足底部が異なるサイズの足の大きさに対応できるような伸縮性の布地から構成されること、及び足袋の脱着のために内甲部と外甲部の接合部がこはぜなどによって開閉されないことを特徴とする足袋。
【請求項２】
足首を締め付けるための帯状ゴムが足袋の開放端付近に設けられていることを特徴とする請求項１に記載の足袋。
【考案の詳細な説明】
【技術分野】
【０００１】
本考案は、こはぜなどの開閉用の止め具がなく、一足で様々な足のサイズに対応できる、取扱い性、経済性、及び加工性に優れた足袋に関する。
【背景技術】
【０００２】
足袋は、日本の古くからある伝統的な履物であって、着物を着る時には不可欠なものである。従来から使用されている足袋は、図２（ａ）〜（ｅ）の左足用の例に示すように、足の親指と足の甲の内側を覆う内甲部１と、足の親指以外の他の４本の指と足の甲の外側を覆う外甲部２と、足の底を覆う足底部３とが縫製されて作られ、内甲部１と外甲部２の後端上部は互いに縫着されずに開閉のためのこはぜ５を取り付けられている。
【０００３】
しかしながら、かかる伝統的な従来の足袋は、伸縮性がほとんどない布地からなる内甲部、外甲部、及び足底部を縫製して作られるため、一足で対応できるサイズ範囲は１ｃｍ程度しかなく、従って様々な足のサイズに対応するためには多くの販売在庫を抱えなければならなかった。また従来の足袋は、脱着のために内甲部と外甲部の接合部にこはぜが設けられているため、足袋の脱着が困難で取扱いがやっかいであり、しかもこはぜの存在により経済性及び加工性に問題があった。
【０００４】
これらの問題に対して特許文献１や特許文献２のように様々なファスナーを使用して容易に着用することができる足袋が提案されているが、いずれの足袋も構造が複雑であり、一足で様々な足のサイズに対応できるものではなかった。
【特許文献１】特開２０００−３１４００６号公報
【特許文献２】特開２００４−１１０２８号公報
【考案の開示】
【考案が解決しようとする課題】
【０００５】
本考案者は、かかる従来の足袋の現状に鑑み創案されたものであり、その目的は、こはぜなどの開閉用の止め具がなく、一足で様々な足のサイズに対応できる、取扱い性、経済性、及び加工性に優れた足袋を提供することにある。
【課題を解決するための手段】
【０００６】
本考案者は、かかる目的を達成するために鋭意検討した結果、足袋の内甲部、外甲部、及び足底部を様々の足のサイズに対応できるような十分な伸縮性の布地から構成することによって、こはぜなどの開閉用の止め具を設けずに様々な足のサイズに良好な感触で簡単に適合できることを見い出し、本考案の完成に至った。
【０００７】
即ち、本考案は、足の親指と足の甲の内側を覆う内甲部と、足の親指以外の他の４本の指と足の甲の外側を覆う外甲部と、足の底を覆う足底部とが縫製されて構成される足袋において、内甲部、外甲部、及び足底部が異なるサイズの足の大きさに対応できるような伸縮性の布地から構成されること、及び足袋の脱着のために内甲部と外甲部の接合部がこはぜなどによって開閉されないことを特徴とする足袋である。本考案の足袋の好ましい態様では、足首を締め付けるための帯状ゴムが足袋の開放端付近に設けられている。
【考案の効果】
【０００８】
本考案の足袋は、内甲部、外甲部、及び足底部が異なるサイズの足の大きさに対応できるような伸縮性の布地から構成されているので、一足で様々な足のサイズに簡単に対応でき、販売在庫が少なくて済む効果がある。
【０００９】
また、本考案の足袋は、こはぜなどの開閉用の止め具を設けていないため、製造コストが安価で、脱着や洗濯などの取扱いが容易であり、しかも素材の選択の自由度が高く、ファッション性に富んだ製品を提供することができる。
【００１０】
さらに、本考案の足袋は、比較的強い伸縮性の布地から構成されているため、簡単な構造で足への適合性に優れる効果がある。特に足袋の開放端付近には足首を締め付けるための帯状ゴムが設けられる場合は、その効果はより顕著である。
【考案を実施するための最良の形態】
【００１１】
以下、本考案の足袋の一例を図面を用いて説明するが、本考案の足袋は、これに限定されるものではない。
図１は、本考案の足袋を説明するために左足用の足袋を概略的に示したものであり、（ａ）〜（ｅ）はそれぞれ本考案の足袋の左側面図、右側面図、底面図、平面図、背面図を表したものである。
【００１２】
本考案の足袋は、図１（ａ）〜（ｅ）に示すように、足の親指と足の甲の内側を覆う内甲部１と、足の親指以外の他の４本の指と足の甲の外側を覆う外甲部２と、足の底を覆う足底部３とが別個に作られ、それらを縫製して作られている点で従来の和装用足袋と共通するが、内甲部、外甲部、及び足底部が一体的に同時に作られている靴下とは異なる範ちゅうのものである。
【００１３】
本考案の足袋の第一の特徴は、内甲部、外甲部、及び足底部を構成する布地が従来の足袋とは異なり、十分な伸縮性を有することである。従来の足袋は、構成布地の伸縮性が最大１ｃｍ程度しかないが、本考案の足袋の構成布地は、一足で様々な足のサイズ（例えば女性用２２〜２５ｃｍ、男性用２４〜２７ｃｍ）に対応できるような十分な伸縮性を有するものである。従って、本考案の足袋は、足のサイズに応じて多種類の販売在庫を抱える必要はなく、一足で様々な足のサイズに対応することができる。
【００１４】
本考案の足袋の構成布地は、上述の伸縮性を有すれば従来公知の布地を使用することができるが、例えばポリエステル、ナイロン、又は絹からなる糸と伸縮性のポリウレタン糸とを混編した布地であることができる。なお、構成布地が滑りやすい素材である場合、足底部に滑り止め加工を施すことができる。
【００１５】
本考案の足袋の第二の特徴は、足袋の脱着のために内甲部と外甲部の接合部がこはぜやファスナーなどの止め具によって開閉されるようになっていないことである。従来の足袋は、図２（ａ）に示すように踵面がこはぜなどによって開閉されて脱着するようになっているが、本考案の足袋は、こはぜなどの止め具が全くなく、布地が持つ伸縮性によって着用者の足に密着するようになっている。従って、本考案の足袋は、こはぜなどの止め具がないため、脱着が容易であるだけでなく、製造コストが安価で、洗濯などの取扱いや加工が容易であり、様々なデザインの製品を提供することができる。
【００１６】
本考案の足袋は、従来の足袋のように、足底部の一番幅広い部分付近で内甲部及び外甲部と足底部を折り返し、足指を動かしながら爪先が余らないようにしっかり入れ、折り返した内甲部及び外甲部と足底部を戻しながら踵をしっかり入れて全体を延ばすことによって着用することができる。また、本考案の足袋は、構成布地が伸縮性を有するので靴下のように簡単に着用することもできる。
【００１７】
本考案の足袋の好ましい態様では、図１（ａ），（ｂ），（ｅ）に示すように足袋の開放端４付近に足首を締め付けるための帯状ゴム６が設けられる。帯状ゴムは衣類に使用される従来公知のものを適宜採用することができる。この帯状ゴムにより、着用者の足首での固定が確実となり、足袋が容易に脱げてしまうことがなくなる。
【産業上の利用可能性】
【００１８】
本考案の足袋は、最近の消費者ニーズの多様化により、手軽に履くことができる、簡素で低コストの足袋を望む者に対しても適応することができる。
【図面の簡単な説明】
【００１９】
【図１】本考案の足袋の概略図を示し、（ａ）は右側面図、（ｂ）は左側面図、（ｃ）は底面図、（ｄ）は平面図、（ｅ）は背面図を示す。
【図２】従来の足袋の概略図を示し、（ａ）は右側面図、（ｂ）は左側面図、（ｃ）は底面図、（ｄ）は平面図、（ｅ）は背面図を示す。
【符号の説明】
【００２０】
１  内甲部
２  外甲部
３  足底部
４  開放端
５  こはぜ
６  帯状ゴム
【図１】
0003111312.tif 000003
【図２】
0003111312.tif 000004